(57)【要約】  骨導式を採用しつつ、広帯域にわたって良好な音質を得ることができる、耳穴開放型の音響再生装置を提供する。  第１のイコライザー３０３は、振動スピーカー３０１では再生が困難で骨伝導では伝わり難い高域成分を除去する。そして、振動スピーカー３０１から、低域から中域にわたる音声を骨導音により出力する。第１のイコライザー３０３のイコライジング処理により、高域の音漏れを低減することにもなる。一方、第２のイコライザー３０４は、低域から中域にわたる成分を除去する。そして、気導スピーカー３０２から高品質の高域成分の音声を気導音により出力する。
2017168903.tif 000002
【特許請求の範囲】
【請求項１】
骨導音を発生する振動スピーカーと、
前記振動スピーカーに入力する信号をイコライジング処理する第１のイコライザーと、
気導音を発生する気導スピーカーと、
前記気導スピーカーに入力する信号をイコライジング処理する第２のイコライザーと、
を具備する音響再生装置。
【請求項２】
前記第１のイコライザー及び前記第２のイコライザーは、同一の音源からの信号に対してそれぞれイコライジング処理し、
前記振動スピーカー及び前記気導スピーカーは、それぞれ再生した音を同時に出力する、
請求項１に記載の音響再生装置。
【請求項３】
前記第１のイコライザーは、高域を除去するイコライジング処理を行ない、
前記振動スピーカーは、低・中域成分からなる骨導音を出力する、
請求項１に記載の音響再生装置。
【請求項４】
前記第２のイコライザーは、低・中域を除去するイコライジング処理を行ない、
前記気導スピーカーは、高域成分からなる気導音を出力する、
請求項１に記載の音響再生装置。
【請求項５】
前記振動スピーカーは、最低共振周波数Ｆ０が低く、再生可能周波数帯が広いタイプの振動スピーカーである、
請求項１に記載の音響再生装置。
【請求項６】
前記振動スピーカーは、ダイナミック型振動スピーカーである、
請求項１に記載の音響再生装置。
【請求項７】
前記気導スピーカーは、高域を再生可能若しくは小型のスピーカーである、
請求項１に記載の音響再生装置。
【請求項８】
前記気導スピーカーは、バランスド・アーマチュア型スピーカーである、
請求項１に記載の音響再生装置。
【請求項９】
前記振動スピーカー及び前記気導スピーカーを備えるドライバーユニットと、
前記ドライバーユニットを支持する支持部と、
をさらに備える、
請求項１に記載の音響再生装置。
【請求項１０】
前記支持部は、前記ドライバーユニットを使用者の頭部の中心方向に一定の圧力で押し当てるように支持する、
請求項９に記載の音響再生装置。
【請求項１１】
前記支持部は、前記ドライバーユニットを使用者のこめかみ付近に配置する、
請求項９に記載の音響再生装置。
【請求項１２】
前記気導スピーカーは、前記ドライバーユニットの筐体に取り付けられ、
前記支持部は、前記ドライバーユニットを使用者の耳穴から離間した場所で支持する、
請求項９に記載の音響再生装置。
【請求項１３】
前記気導スピーカーは、気導音の出力方向が耳介のほぼ垂直方向を向くように前記ドライバーユニットの筐体に取り付けられる、
請求項１２に記載の音響再生装置。
【発明の詳細な説明】
【技術分野】
【０００１】
本明細書で開示する技術は、ヘッドホンやイヤホンなど聴視者の耳に装着して用いられる音響再生装置に係り、特に、骨導式を採用し、耳穴開放型の音響再生装置に関する。
【背景技術】
【０００２】
音を頭蓋骨などの骨に直接伝達する骨導式の音響再生装置（ヘッドホンやイヤホンなど）が知られている（例えば、特許文献１を参照のこと）。骨導式の音響再生装置は、例えばこめかみ付近の頭蓋骨に振動スピーカーを押し当てて使用される。骨は、音を振動として伝達し、蝸牛などの内耳の器官を刺激する。そして、蝸牛は振動を電気信号に変換して脳に伝える。【０００３】
既に広く普及している気導式のヘッドホンやイヤホンは、気導スピーカー（ドライバーユニット）からの音を空気の振動に変換して耳に伝える。このため、気導式のヘッドホンやイヤホンの多くは、周囲音による干渉や、外部への音漏れを防止するために、耳穴を塞ぐ構造となっている。このため、このようなヘッドホンやイヤホンを装着すると周囲音が聴こえ難くなるので、安全上の理由から周囲音が聞こえないと困るシーンでの使用は差し控えるべきであり、規則などにより使用が制限される場合もある。【０００４】
これに対し、骨導式の音響再生装置は、音を骨に伝達することから、耳穴を塞ぐ必要はなく、耳穴開放型の装置として構成することができる。耳穴開放型の音響再生装置によれば、装着中や聴視中であっても周囲音を自然に聴くことができるという利点がある。したがって、空間把握、危険察知、会話並びに会話時の微妙なニュアンスの把握といった、聴覚特性に依存した人間の機能を正常に利用することができる。また、耳穴を塞いでいないので、他人から見て話し掛けてもよい外観をしており、人と人とのコミュニケーションを阻害しない。また、耳穴に装着しないので、耳の大きさや形状の個人差などに影響されず、良好な装着感を得ることができるという利点もある。【０００５】
ところが、音を振動として骨に伝達する振動スピーカーは、再生可能周波数帯が狭いため、骨導式の音響再生装置は、音質的な面では、気導式の音響再生装置よりも劣るという問題がある。さらに、骨導聴音は、軟骨や筋肉といった固有振動数の低い軟組織を伝搬する際に、高周波成分が減衰するという特徴を有している。このため、骨導式の音響再生装置は、高周波域を再生することは難しいとされている。【０００６】
また、骨導式の音響再生装置は、振動スピーカーから発生する振動が固定先の筐体を震わせることによる音漏れが課題となっている。
【先行技術文献】
【特許文献】
【０００７】
【特許文献１】特開２００９−２６７９００号公報
【発明の概要】
【発明が解決しようとする課題】
【０００８】
本明細書で開示する技術の目的は、骨導式を採用しつつ、広帯域にわたって良好な音質を得ることができる、耳穴開放型の音響再生装置を提供することにある。
【課題を解決するための手段】
【０００９】
本明細書で開示する技術は、上記課題を参酌してなされたものであり、その第１の側面は、
骨導音を発生する振動スピーカーと、
前記振動スピーカーに入力する信号をイコライジング処理する第１のイコライザーと、
気導音を発生する気導スピーカーと、
前記気導スピーカーに入力する信号をイコライジング処理する第２のイコライザーと、
を具備する音響再生装置である。【００１０】
本明細書で開示する技術の第２の側面によれば、第１の側面に係る音響再生装置の前記第１のイコライザー及び前記第２のイコライザーは、同一の音源からの信号に対してそれぞれイコライジング処理し、前記振動スピーカー及び前記気導スピーカーは、それぞれ再生した音を同時に出力するように構成されている。【００１１】
本明細書で開示する技術の第３の側面によれば、第１の側面に係る音響再生装置の前記第１のイコライザーは、高域を除去するイコライジング処理を行ない、前記振動スピーカーは、低・中域成分からなる骨導音を出力するように構成されている。【００１２】
本明細書で開示する技術の第４の側面によれば、第１の側面に係る音響再生装置の前記第２のイコライザーは、低・中域を除去するイコライジング処理を行ない、前記気導スピーカーは、高域成分からなる気導音を出力するように構成されている。【００１３】
本明細書で開示する技術の第５の側面によれば、第１の側面に係る音響再生装置の前記振動スピーカーは、最低共振周波数Ｆ０が低く、再生可能周波数帯が広いタイプの振動スピーカーとして構成されている。【００１４】
本明細書で開示する技術の第６の側面によれば、第１の側面に係る音響再生装置の前記振動スピーカーは、ダイナミック型振動スピーカーである。【００１５】
本明細書で開示する技術の第７の側面によれば、第１の側面に係る音響再生装置の前記気導スピーカーは、高域を再生可能若しくは小型のスピーカーである。【００１６】
本明細書で開示する技術の第８の側面によれば、第１の側面に係る音響再生装置の前記気導スピーカーは、バランスド・アーマチュア型スピーカーである。【００１７】
本明細書で開示する技術の第９の側面によれば、第１の側面に係る音響再生装置は、前記振動スピーカー及び前記気導スピーカーを備えるドライバーユニットと、前記ドライバーユニットを支持する支持部をさらに備えている。【００１８】
本明細書で開示する技術の第１０の側面によれば、第９の側面に係る音響再生装置の前記支持部は、前記ドライバーユニットを使用者の頭部の中心方向に一定の圧力で押し当てるように支持するように構成されている。【００１９】
本明細書で開示する技術の第１１の側面によれば、第９の側面に係る音響再生装置の前記支持部は、前記ドライバーユニットを使用者のこめかみ付近に配置するように構成されている。【００２０】
本明細書で開示する技術の第１２の側面によれば、第９の側面に係る音響再生装置の前記気導スピーカーは、前記ドライバーユニットの筐体に取り付けられている。そして、前記支持部は、前記ドライバーユニットを使用者の耳穴から離間した場所で支持するように構成されている。【００２１】
本明細書で開示する技術の第１３の側面によれば、第１２の側面に係る音響再生装置の前記気導スピーカーは、気導音の出力方向が耳介のほぼ垂直方向を向くように前記ドライバーユニットの筐体に取り付けられている。
【発明の効果】
【００２２】
本明細書で開示する技術によれば、骨導式を採用しつつ、広帯域にわたって良好な音質を得ることができる、耳穴開放型の音響再生装置を提供することができる。【００２３】
なお、本明細書に記載された効果は、あくまでも例示であり、本発明の効果はこれに限定されるものではない。また、本発明が、上記の効果以外に、さらに付加的な効果を奏する場合もある。【００２４】
本明細書で開示する技術のさらに他の目的、特徴や利点は、後述する実施形態や添付する図面に基づくより詳細な説明によって明らかになるであろう。
【図面の簡単な説明】
【００２５】
【図１】図１は、本明細書で開示する技術を適用した音響再生装置１００を使用者の頭部に装着した様子示した図である。
【図２】図２は、本明細書で開示する技術を適用した音響再生装置１００を上方から眺望した様子を示した図である。
【図３】図３は、ドライバーユニット１０１の機能的構成例を示した図である。
【図４】図４は、ダイナミック型の振動スピーカーの特性例を示した図である。
【図５】図５は、第１のイコライザー３０３及び第２のイコライザー３０４の波形等化特性を示した図である。
【図６】図６は、右側のドライバーユニット１０１Ｒを、使用者の頭部右側のこめかみ付近に取り付けている様子を示した図である。
【図７】図７は、音響再生装置１００の変形例を示した図である。
【図８】図８は、音響再生装置１００の変形例を示した図である。
【図９】図９は、音響再生装置１００の変形例を示した図である。
【図１０】図１０は、音響再生装置１００の変形例を示した図である。
【図１１】図１１は、音響再生装置１００の変形例を示した図である。
【図１２】図１２は、音響再生装置１００の変形例を示した図である。
【図１３】図１３は、音響再生装置１００の変形例を示した図である。
【発明を実施するための形態】
【００２６】
以下、図面を参照しながら本明細書で開示する技術の実施形態について詳細に説明する。
【００２７】
図１及び図２には、本明細書で開示する技術を適用した音響再生装置１００の外観構成例を模式的に示している。但し、図１は、音響再生装置１００を装着した使用者の頭部を右側から眺めた様子を示し、図２は、音響再生装置１００を上方から眺望した様子を示している。
【００２８】
図示のように、音響再生装置１００は、左右のドライバーユニット１０１Ｌ及び１０１Ｒと、これらドライバーユニット１０１Ｌ及び１０１Ｒを両端で支持する支持部１０２からなり、左右ほぼ対称的な構造をなしている。但し、支持部１０２を含めた音響再生装置１００全体の外観が左右対称的な構造であることは必須でない。
【００２９】
支持部１０２は、図示の例では、ヘッドバンドのように、使用者の後頭部から首部にわたって巻き掛けて使用するように構成されている。但し、支持部１０２を、頭頂部を通って巻き掛けるように構成することもできる。
【００３０】
支持部１０２は、例えばポリプロピレンなどの合成樹脂や、アルミニウム、ステンレス、チタンなどの金属で製作された、適度の弾性を有するＵ字形状の構造体である。Ｕ字を広げて頭部を挟み込むようにして、図１に示すように支持部１０２を使用者の後頭部から首部にわたって巻き掛けることができ、その際、支持部１０２には元のＵ字形状に戻ろうとする復元力が発生する。この復元力が支持部１０２の両端を使用者の頭部の内側に向かって作用することにより、ドライバーユニット１０１Ｌ及び１０１Ｒを左右のこめかみ付近（若しくは、耳珠の少し前方位置付近）にそれぞれ押し当てるようになっている。
【００３１】
図１からも分かるように、各ドライバーユニット１０１Ｌ及び１０１Ｒは、耳穴から離間した場所に配設されており、本実施形態に係る音響再生装置１００は耳穴開放型であると言うことができる。
【００３２】
なお、音響再生装置１００が左右両方にドライバーユニット１０１Ｌ及び１０１Ｒを装備することは必須ではなく、左右いずれか一方にのみドライバーユニット１０１Ｌ又は１０１Ｒを装備するという構成例（図１３を参照のこと）も想定される。
【００３３】
図３には、ドライバーユニット１０１の機能的構成例を示している。左右両方にドライバーユニット１０１Ｌ及び１０１Ｒを装備する音響再生装置１００の場合、いずれのドライバーユニット１０１Ｌ及び１０１Ｒも同様に構成されるものと理解されたい。
【００３４】
ドライバーユニット１０１は、振動スピーカー３０１と、気導スピーカー３０２と、第１のイコライザー３０３と、第２のイコライザー３０２を備えている。
【００３５】
音響再生装置１００（ドライバーユニット１０１）への音源３１１として、例えば、携帯音楽プレイヤーで再生される音声や、携帯電話からの電話音声などを想定している。音響再生装置１００は、例えば有線ケーブル、あるいはＢｌｕｅｔｏｏｔｈ（登録商標）などの無線通信を介して、携帯音楽プレイヤーや携帯電話などの外部機器（何れも図示しない）からの音響電気信号を受信するものとする。
【００３６】
第１のイコライザー３０３は、音響電気信号に対して、振動スピーカー３０１用のイコライジング処理を行なう。振動スピーカー３０１は、音響電気信号を機械的振動に変換する。上述したように、ドライバーユニット１０１は使用者のこめかみ付近に押し当てられているので、振動スピーカー３０１が発生する振動は、こめかみ付近の頭蓋骨を通じて骨導音３１２として伝えられる。そして、骨導音３１２が蝸牛などの内耳の器官を刺激すると、蝸牛は骨導音３１２を電気信号に変換して脳に伝え、聴音３１４として使用者に認識される。
【００３７】
また、第２のイコライザー３０４は、音響電気信号に対して、気導スピーカー３０２用のイコライジング処理を行なう。気導スピーカー３０１は、音響電気信号を空気振動に変換する。図１からも分かるように、ドライバーユニット１０１は使用者の耳穴付近に配設されているので、気導スピーカー３０２が発生する空気振動は、気導音３１３として耳穴から外耳道を通じて鼓膜に伝えられる。そして、気導音３１３が蝸牛などの内耳の器官を刺激すると、蝸牛は気導音３１３を電気信号に変換して脳に伝え、聴音３１４として使用者に認識される。
【００３８】
本実施形態に係る音響再生装置１００は、振動スピーカー３０１と気導スピーカー３０２を同時に再生して、骨導音３１２と気導音３１３をハイブリッドに聴音させるという点に主な特徴がある。
【００３９】
音を振動として骨に伝達する振動スピーカー３０１として、ダイナミック型、圧電型、磁歪型などの方式が挙げられる。ダイナミック型は、通常のスピーカーと同様に、コイルとマグネット間に作用する電磁力による駆動力を利用する方式である。また、圧電型は、圧電セラミックに電圧を印加することで逆圧電効果により駆動力を得る方式である。また、磁歪型は、超磁歪素子の磁界変化による伸び縮み（ジュール効果）を駆動力として利用する方式である。
【００４０】
いずれの方式であれ、振動スピーカーは、一般に再生可能周波数帯が狭く、音質的な面では、気導式の音響再生装置よりも劣るという問題がある。図４には、ダイナミック型の振動スピーカーの特性例を示している。同図は、アクチュエーターによって加振された錘１００グラムの振動加速度を測定したもので、横軸を周波数［Ｈｚ］、縦軸を振動加速度レベル［ｄＢ］とする。ダイナミック型の振動スピーカーの最低共振周波数Ｆ０を低くすると、５０００Ｈｚ以上の高域で不要な共振が発生してしまう。この共振が音質の劣化と音漏れの原因になる。高域の音漏れは、例えば「シャカシャカ」と聴こえるような雑音である。
【００４１】
要するに、振動スピーカー３０１は高域成分を高音質で再生することができない。さらに、骨導音３１２は、軟骨や筋肉といった固有振動数の低い軟組織を伝搬する際に、高周波成分が減衰するという特徴を有している。これらの理由により、高周波成分を骨導音として再現することは難しいということができる。
【００４２】
そこで、本実施形態に係る音響再生装置１００は、振動スピーカー３０１では再生が困難若しくは不能な高域成分を補間すべく、気導スピーカー３０２と組み合わせたハイブリッド型として構成されている訳である。
【００４３】
第１のイコライザー３０３は、５０００Ｈｚ以上の高域で発生する不要な共振ノイズ成分（図４を参照のこと）を除去するようなイコライジング処理を行なう。このイコライジング処理により、振動スピーカー３０１からは低域から中域にわたる良好な音質の骨導音が出力されるとともに、骨導音のうち高周波成分を小さくする調整を行なうことができる。この結果、高域でのドライバーユニットの筐体の振動を抑制し、例えば「シャカシャカ」と聴こえるような音漏れを低減することができる。
【００４４】
一方、第２のイコライザー３０４は、骨伝導により伝えることができる低域から中域にわたる成分を除去するようなイコライジング処理を行なう。したがって、イコライジング処理した信号を気導スピーカー３０２に入力して、振動スピーカー３０１からは出力されない高音質の高域成分の音声を気導音により伝えることができる。
【００４５】
図５には、第１のイコライザー３０３及び第２のイコライザー３０４の波形等化特性を模式的に示している。但し、横軸は周波数［Ｈｚ］、縦軸は音圧［ｄＢ］である。同図からも分かるように、第１のイコライザー３０３は、参照番号５０１で示すように、骨導音から高域成分を除去するようなイコライジング処理を行なう。一方、第２のイコライザー３０４は、参照番号５０２で示すように、気導音から低域から中域にわたる成分を除去するようなイコライジング処理を行なう。第１のイコライザー３０３は低・中域透過フィルターということもでき、第２のイコライザー３０４は高域透過フィルターということもできる。したがって、両者を合わせると、低域から高域にわたる広域の音声を波形等化することができるということを理解できよう。
【００４６】
振動スピーカー３０１は、第１のイコライザー３０３で高域成分が除去された、５０〜５０００Ｈｚの低・中域を再生することになる。上記では、振動スピーカー３０１として、ダイナミック型、圧電型、磁歪型などの各方式を挙げた。５０〜５０００Ｈｚの低・中域を再生することを考慮すると、振動スピーカー３０１として、最低共振周波数Ｆ０が低く、再生可能周波数帯が広いダイナミック型が適している、と本出願人は思料する。勿論、将来的に音響特性が改善されれば、圧電型や磁歪型の振動スピーカーを採用することも想定される。
【００４７】
また、気導スピーカー３０２は、第２のイコライザー３０４で低・中域成分が除去された、５ｋＨｚ以上の高域を再生することになる。気導スピーカー３０２としては、ダイナミック型、バランスド・アーマチュア型などの方式が挙げられる。一般に、ダイナミック型スピーカーは、（振動板を大きくするほど）低域成分がよく出る。一方のバランスド・アーマチュア型スピーカーは、鉄片の振動を細い棒（ドライブロッド）で振動板に伝えて振動させるが、高域で（解像感のある）良好な音質を得ることができる。また、バランスド・アーマチュア型スピーカーは、小型に製作することができるので、素子配置の制約が小さく、ハイブリッド型にしたときにも最良な素子配置を実現し易い。高域を出力可能であることと、小型であるという観点から、バランスド・アーマチュア型が気導スピーカー３０２に適している、と本出願人は思料する。勿論、将来的に小型化が進み素子配置の制約が小さくなれば、ダイナミック型の気導スピーカーを採用することも想定される。
【００４８】
図６には、右側のドライバーユニット１０１Ｒを、使用者の頭部右側のこめかみ付近（若しくは、右耳の耳珠の少し前方位置付近）に取り付けている様子を示している。
【００４９】
振動スピーカー３０１で発生する振動音で頭蓋骨を振動させるためには、振動スピーカー３０１（図６には図示しない）を内蔵するドライバーユニット１０１Ｒを一定の圧力で頭部の中心方向に押し当てる必要がある。本実施形態では、ドライバーユニット１０１Ｒは、左側のドライバーユニット１０１Ｌとともに、Ｕ字形状で適度の弾性を有する支持部１０２の両端に取り付けられている。そして、Ｕ字を広げて頭部を挟み込むようにして、支持部１０２を使用者の後頭部から首部にわたって巻き掛けられる（図１を参照のこと）。したがって、ドライバーユニット１０１Ｒは、支持部１０２の復元力によって、適度の圧力で頭部の中心方向に押し当てられるので、振動スピーカー３０１が発生する骨導音はこめかみ付近の頭蓋骨を通じて伝えられる。また、ドライバーユニット１０１Ｒは耳穴から離間した場所に配設されているので、音響再生装置１００は耳穴開放型であるということができる。
【００５０】
一方、気導スピーカー３０２は、ドライバーユニット１０１Ｒの筐体の、耳介方向に最も近い側縁６０１に、気導音の出力方向が耳介のほぼ垂直方向（若しくは、耳穴の方向）を向くように取り付けられている。一般に、高周波数の振動は、指向性がよく、減衰が大きい。したがって、図６に示すように、気導スピーカー３０２を耳介のほぼ垂直方向に向けることにより、５０００Ｈｚ以上の高域の気導音を効率的に耳穴まで伝えることができる。また、気導スピーカー３０２は気導音を耳介に向けて出力するので、周囲への音漏れも小さくすることができる。
【００５１】
音響再生装置１００は、ドライバーユニット１０１Ｒを耳穴から離間した場所に配置した耳穴開放型であるが、気導スピーカー３０２は、耳穴から短い距離にあるので、減衰が大きい気導音を音導管なしで耳穴に直接届けることができる。骨導型のヘッドホンとして、こめかみ以外に耳裏や鼻骨に押し当てて使用するものも知られている。しかしながら、耳裏や鼻骨など耳穴から長い距離がある場所に気導スピーカーを配設すると、音導管を使って気導音を伝搬する必要があるとともに、高域の気導音が音導管を伝搬する間に減衰してしまうという問題がある。言い換えれば、気導スピーカー３０２から高域の気導音を発生するという観点から、音響再生装置１００は、ドライバーユニット１０１Ｒをこめかみ付近に配設する構造であることがより好ましいということができる。
【００５２】
本実施形態に係る音響再生装置１００は、使用者の頭部に接触させた振動スピーカーと、耳介の垂直方向に向けた気導スピーカーを同時に再生し、骨導聴音と気導聴音をハイブリッド化する点に主な特徴がある。本実施形態に係る音響再生装置１００は、従来の骨導聴音のみのヘッドホンなどと比較して、低域から高域（５０Ｈｚ〜２０ｋＨｚ）に至る広域での高音質音楽を再生できることや、高域（５０００Ｈｚ〜２０ｋＨｚ）の音漏れを低減できるといった利点がある。
【００５３】
本実施形態に係る音響再生装置１００は、例えば、耳穴開放型のヘッドホンとして利用され、携帯音楽プレイヤーで再生される音声や、携帯電話からの電話音声など、外部機器からの音声信号を、有線ケーブル、あるいはＢｌｕｅｔｏｏｔｈ（登録商標）などの無線通信を介して受信し、音声出力することができる。あるいは、本実施形態に係る音響再生装置１００は、メモリーを内部に搭載したポータブル・プレイヤーとして利用され、内部で再生された音声を出力することができる。
【００５４】
最後に、音響再生装置１００の変形例について説明する。
【００５５】
音響再生装置１００の装着形態として、ドライバーユニット１０１Ｌ及び１０１Ｒを両端に支持するＵ字形状の支持部１０２を、Ｕ字を広げて頭部を挟み込むようにして、使用者の後頭部から首部にわたって巻き掛けたり、あるいは頭頂部を通って巻き掛けたりする構成例を挙げたが、これに限定されない。耳穴を開放しつつ、振動スピーカーを使用者の頭部に接触させ、且つ、気導音が耳穴の方向に出力されるように気導スピーカーを保持する構造であれば、オーバーヘッドホン型、眼鏡型、ヘッドバンド型、ヘルメット型などさまざまな装着形態でよい。
【００５６】
また、図７に示すように、左右のドライバーユニット１０１Ｌ又は１０１Ｒのうち少なくとも一方を、支持部１０２から取り外して交換できるように構成することもできる。例えば使用者は、自分好みの音響特性を有するドライバーユニットに置き換えて音響再生装置１００を使用することができる。
【００５７】
また、図８に示すように、左右のドライバーユニット１０１Ｌ又は１０１Ｒのうち少なくとも一方について、気導スピーカー３０２を取り外して交換できるように構成することもできる。例えば使用者は、高域において自分好みの音響特性を有する気導スピーカーに置き換えて音響再生装置１００を使用することができる。
【００５８】
また、音響再生装置１００は、図３に示したように、同一の音源３１１から低・中域と高域を分離してそれぞれ振動スピーカー３０１及び気導スピーカー３０２から出力する構成である点に着目して、同一の音源３１１のうち低・中域と高域を個別に音量調整できるように構成することもできる。
【００５９】
例えば、図９に示すように、第１のイコライザー３０３内に可変ゲイン・アンプ９０１を設けて低・中域の音量を調整するとともに、第２のイコライザー３０４内にも可変ゲイン・アンプ９０２を設けて高域の音量を調整できるようにすればよい。各可変ゲイン・アンプ９０１及び９０２のゲインをコントロールすることで、図１０に示すように、低・中域を抑圧した（若しくは、高域を助長した）波形等化特性にして高域の音量を増大させることができる。逆に、図１１に示すように、高域を抑圧した（若しくは、低・中域を助長した）波形等化特性にして低・中域の音量を増大させることができる。勿論、第１のイコライザー３０３又は第２のイコライザー３０４のいずれか一方にのみ可変ゲイン・アンプ９０１又は９０２を配設してもよい。
【００６０】
また、音響再生装置１００の音源として、携帯音楽プレイヤーや携帯電話を始めとする外部機器を想定し、外部機器からの音響電気信号を有線ケーブルや無線通信を介して受信する例について言及したが、音源はこれに限定されない。例えば、音響再生装置１００が音楽プレイヤーや携帯電話などの音源の機能を（例えばドライバーユニット内に）装備していてもよい。
【００６１】
また、上記では、耳を塞がない安全な音楽再生を音響再生装置１００のユースケースとして想定して説明してきたが、これに限定されない。例えば、音響再生装置１００がさらにマイクを搭載することにより、集音器（ＩＣレコーダー）としても利用することや、工事現場などの騒音環境でのコミュニケーション・ツールなどに応用することも考えられる。
【００６２】
また、音響再生装置１００は、人体に取り付けて使用されるというウェアラブル装置としての側面を備えることから、生体センサーをさらに装備して、生体情報を検出するようにしてもよい。生体センサーとして、体温センサー、発汗センサー、筋電センサー、脈拍センサー、ジャイロなどを挙げることができる。
【００６３】
また、音響再生装置１００は、装着センサーをさらに装備して、使用者の頭部に取り付けられた装着状態のときのみ振動スピーカー及び気導スピーカーを駆動させ、未装着状態では振動スピーカー及び気導スピーカーの動作を停止させるようにしてもよい。未装着状態での動作停止により、低消費電力化を図ることができるとともに、ドライバーユニットの筐体の振動による騒音を防ぐことができる。なお、装着センサーとして、照度センサー、圧力センサー、近接センサー、通電センサー、機械スイッチなどを挙げることができる。また、上述した生体センサーの一部を装着センサーに兼用することもできる。
【００６４】
ここで、音響再生装置１００に通電センサーを搭載する場合について補足しておく。例えば、左右のドライバーユニット１０１Ｌ及び１０１Ｒ内にそれぞれ送受信機を装備して、図１２に示すように、ドライバーユニット１０１Ｌ及び１０１Ｒ間で電気信号１２０１を送受信することで、音響再生装置１００が使用者の頭部（人体）に装着されていることを検出する。さらに、ドライバーユニット１０１Ｌ及び１０１Ｒ間で生体通信を行なうこともできる。
【産業上の利用可能性】
【００６５】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。【００６６】
本明細書で開示する技術を適用した音響再生装置は、聴取者の耳に装着して用いられるが、「耳穴開放型」という点で従来のイヤホンとは大いに異なる。したがって、本明細書で開示する技術を適用した音響再生装置は、装着状態においても非装着状態と同等の周囲音の聴取特性を実現しつつ、同時に音響情報を出力することができる、及び、装着状態においても周囲の人々からは聴取者の耳穴を塞いでいないように見える、といった特徴がある。このような特徴を生かして、本明細書で開示する技術を適用した音響再生装置を、ウォーキング、ジョギング、サイクリング、登山、スキー、スノーボードを始めとする野外並びに室内で行なうさまざまなスポーツ分野（プレイ中や遠隔コーチングなど）、周囲音聴取と音声情報提示が同時に必要となるコミュニケーション若しくはプレゼンテーション分野（例えば、芝居観覧時情報補足、博物館音声情報提示、バード・ウォッチング（鳴声聴取）など）、運転若しくはナビゲーション、警備員、ニュースキャスターなどに適用することができる。【００６７】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。【００６８】
なお、本明細書の開示の技術は、以下のような構成をとることも可能である。
（１）骨導音を発生する振動スピーカーと、
前記振動スピーカーに入力する信号をイコライジング処理する第１のイコライザーと、
気導音を発生する気導スピーカーと、
前記気導スピーカーに入力する信号をイコライジング処理する第２のイコライザーと、
を具備する音響再生装置。
（２）前記第１のイコライザー及び前記第２のイコライザーは、同一の音源からの信号に対してそれぞれイコライジング処理し、
前記振動スピーカー及び前記気導スピーカーは、それぞれ再生した音を同時に出力する、
上記（１）に記載の音響再生装置。
（３）前記第１のイコライザーは、高域を除去するイコライジング処理を行ない、
前記振動スピーカーは、低・中域成分からなる骨導音を出力する、
上記（１）に記載の音響再生装置。
（４）前記第２のイコライザーは、低・中域を除去するイコライジング処理を行ない、
前記気導スピーカーは、高域成分からなる気導音を出力する、
上記（１）に記載の音響再生装置。
（５）前記振動スピーカーは、最低共振周波数Ｆ０が低く、再生可能周波数帯が広いタイプの振動スピーカーである、
上記（１）に記載の音響再生装置。
（６）前記振動スピーカーは、ダイナミック型振動スピーカーである、
上記（１）に記載の音響再生装置。
（７）前記気導スピーカーは、高域を再生可能若しくは小型のスピーカーである、
上記（１）に記載の音響再生装置。
（８）前記気導スピーカーは、バランスド・アーマチュア型スピーカーである、
上記（１）に記載の音響再生装置。
（９）前記振動スピーカー及び前記気導スピーカーを備えるドライバーユニットと、
前記ドライバーユニットを支持する支持部と、
をさらに備える、
上記（１）に記載の音響再生装置。
（１０）前記支持部は、前記ドライバーユニットを使用者の頭部の中心方向に一定の圧力で押し当てるように支持する、
上記（９）に記載の音響再生装置。
（１１）前記支持部は、前記ドライバーユニットを使用者のこめかみ付近に配置する、
上記（９）に記載の音響再生装置。
（１２）前記気導スピーカーは、前記ドライバーユニットの筐体に取り付けられ、
前記支持部は、前記ドライバーユニットを使用者の耳穴から離間した場所で支持する、
上記（９）に記載の音響再生装置。
（１３）前記気導スピーカーは、気導音の出力方向が耳介のほぼ垂直方向を向くように前記ドライバーユニットの筐体に取り付けられる、
上記（１２）に記載の音響再生装置。
【符号の説明】
【００６９】
１００…音響再生装置、１０１Ｌ、１０１Ｒ…ドライバーユニット
１０２…支持部（ヘッドバンド）
３０１…振動スピーカー、３０２…気導スピーカー
３０３…第１のイコライザー、３０４…第２のイコライザー
９０１、９０２…可変ゲイン・アンプ
【図１】
2017168903.tif 000003
【図２】
2017168903.tif 000004
【図３】
2017168903.tif 000005
【図４】
2017168903.tif 000006
【図５】
2017168903.tif 000007
【図６】
2017168903.tif 000008
【図７】
2017168903.tif 000009
【図８】
2017168903.tif 000010
【図９】
2017168903.tif 000011
【図１０】
2017168903.tif 000012
【図１１】
2017168903.tif 000013
【図１２】
2017168903.tif 000014
【図１３】
2017168903.tif 000015
【国際調査報告】
2017168903.tif 000016
2017168903.tif 000017
2017168903.tif 000018
2017168903.tif 000019